(57)【要約】【課題】空気清浄機能を有する照明装置において、照明機能を阻害することなく、より高い空気清浄能力を有する構成を実現する。【解決手段】照明装置は、紫外線を出射する紫外線光源２０と、紫外線光源２０から出射された紫外線の一部が通過する位置に配置された光触媒３０と、紫外線光源２０から出射された紫外光が外部に漏れないように紫外線光源２０及び光触媒３０を覆うカバー４０と、カバー４０の内面に設けられた蛍光体４１とを備える。【選択図】図１
2017098085.tif 000002
【特許請求の範囲】
【請求項１】
空気清浄機能を有する照明装置であって、
紫外線を出射する紫外線光源と、
前記紫外線光源から出射された紫外線の一部が通過する位置に配置された光触媒と、
前記紫外線光源から出射された紫外光が外部に漏れないように前記紫外線光源及び前記光触媒を覆うカバーと、
前記カバーの内面に設けられた蛍光体とを備える、照明装置。
【請求項２】
請求項１に記載の照明装置であって、
前記光触媒によって浄化された空気を前記カバーの外部に流すための流路をさらに備え、
前記流路は、前記紫外線の通過を阻害するように屈曲した屈曲路を有する、照明装置。
【請求項３】
請求項２に記載の照明装置であって、
前記流路は、前記カバー内に形成されている、照明装置。
【請求項４】
請求項２または３に記載の照明装置であって、
前記カバーを固定体に固定するための固定金具をさらに備え、
前記屈曲路は、前記カバーと前記固定金具との隙間によって構成されている、照明装置。
【請求項５】
請求項１から４のいずれか一つに記載の照明装置であって、
前記カバー内に配置され、該カバー内の空気を該カバーの外に送り出すための送風装置をさらに備える、照明装置。
【請求項６】
請求項１から５のいずれか一つに記載の照明装置であって、
前記光触媒は、前記紫外線光源に対し、照明光の主出射方向以外に配置されている、照明装置。
【請求項７】
請求項１から６のいずれか一つに記載の照明装置であって、
前記紫外線光源は、
前記光触媒に向かって紫外線を出射する空気清浄用光源と、
前記蛍光体に向かって紫外線を出射する照明用光源とを有する、照明装置。
【請求項８】
請求項１から７のいずれか一つに記載の照明装置であって、
前記カバーの取り外しを検出する取り外し検出部と、
前記取り外し検出部によって前記カバーの取り外しが検出された際に、前記紫外線光源からの紫外線の出射を停止する停止制御部とを有する、照明装置。
【発明の詳細な説明】
【技術分野】
【０００１】
本発明は、空気清浄機能を有する照明装置に関する。
【背景技術】
【０００２】
従来より、空気清浄機能を有する照明装置が知られている。このような照明装置では、ＬＥＤユニットを用いて照明光を得る一方、該ＬＥＤユニットから出射された光を用いて光触媒によって空気清浄を行う。
【０００３】
例えば、特許文献１には、白色系ＬＥＤユニット及び青色系ＬＥＤユニットからそれぞれ出射された光線によって、照射光を得るとともに、該青色系ＬＥＤユニットから出射された微量の紫外線を含む可視光線を、光触媒に照射することにより、空気清浄機能を実現した構成が開示されている。
【０００４】
具体的には、特許文献１に開示されている照明装置は、白色系ＬＥＤユニット及び青色系ＬＥＤユニットによって構成されたＬＥＤ光源部と、該ＬＥＤ光源部が側面に設けられた導光板と、該導光板の出射面側に設けられた拡散シートとを有する。この拡散シートには、光触媒が担持されている。これにより、ＬＥＤ光源部から出射された光線は、導光板によって照明光として出射される一方、青色系ＬＥＤユニットから出射された紫外線を含む光線が導光板の出射面側に位置する光触媒に照射されることにより、空気清浄機能が得られる。
【先行技術文献】
【特許文献】
【０００５】
【特許文献１】特開２０１３−１１４８７５号公報
【発明の概要】
【発明が解決しようとする課題】
【０００６】
ところで、上述のように光触媒を用いて空気清浄機能を実現する構成の場合、上述のような青色系ＬＥＤユニットを用いた場合よりも、紫外線を出射する紫外線光源を用いた方が、より光触媒を活性化することができるため、より高い空気清浄能力が得られる。
【０００７】
しかしながら、上述のような構成を有する照明装置に紫外線光源を用いると、導光板を介して紫外線が人体に直接、照射される可能性があり、好ましくない。また、上述のように、導光板の出射面側に光触媒を設けると、該導光板から出射される光量が低下する。よって、照明装置の照明光が暗くなる。
【０００８】
本発明の目的は、空気清浄機能を有する照明装置において、照明機能を阻害することなく、より高い空気清浄能力を有する構成を実現する。
【課題を解決するための手段】
【０００９】
本発明の一実施形態に係る照明装置は、空気清浄機能を有する照明装置である。この照明装置は、紫外線を出射する紫外線光源と、前記紫外線光源から出射された紫外線の一部が通過する位置に配置された光触媒と、前記紫外線光源から出射された紫外光が外部に漏れないように前記紫外線光源及び前記光触媒を覆うカバーと、前記カバーの内面に設けられた蛍光体とを備える（第１の構成）。
【００１０】
このように、紫外線光源から出射された紫外線の一部を光触媒に照射することにより、空気清浄機能が得られる。そして、前記紫外線光源及び前記光触媒をカバーによって覆うとともに、該カバーの内面に蛍光体を設けることにより、前記紫外線光源から出射された紫外線の一部が蛍光体を通過して、照明光になる。
【００１１】
光源として紫外線を使うことにより、光触媒による空気清浄機能と照明光との両方が得られるため、簡単な構成によって空気清浄機能を有する照明装置を実現できる。しかも、光源として紫外線光源を用いることにより、青色系ＬＥＤ等の光源を用いた場合に比べ、光触媒による空気清浄機能を大幅に向上することができる。
【００１２】
また、上述のように、カバー内に紫外線光源及び光触媒を配置することにより、該カバー内で光触媒によって効率良く空気清浄を行うことができるとともに、紫外線が照明装置の外に漏れ出るのを防止できる。
【００１３】
従来のＬＥＤ素子を用いた照明装置では、該ＬＥＤ素子が点発光のため、照明装置を直視した場合に眩しかったり、複数の影が生じて目が疲れやすくなったりする。そのため、前記照明装置では、照明光の出射方向にレンズを配置したり、カバーを特殊な乱反射用の樹脂によって構成したりする必要があり、コスト増加の要因になっている。
【００１４】
これに対し、上述の構成のようにカバーの内面に蛍光体を設けることにより、該蛍光体が可視光の発光源になるため、上述の構成を有する照明装置ではカバー全体で面発光が生じる。これにより、低コストで目に優しい照明装置を実現することができる。
【００１５】
前記第１の構成において、前記光触媒によって浄化された空気を前記カバーの外部に流すための流路をさらに備える。前記流路は、前記紫外線の通過を阻害するように屈曲した屈曲路を有する（第２の構成）。
【００１６】
これにより、カバー内で光触媒によって浄化された空気は、流路を介して外部に流れる。そして、該流路は、紫外線の通過を阻害するように屈曲した屈曲路を有するため、紫外線が流路を介してカバーの外に漏れ出るのを防止することができる。したがって、上述の構成により、光触媒による空気清浄機能を阻害することなく、紫外線が照明装置外に漏れ出るのを防止できる。
【００１７】
前記第２の構成において、前記流路は、前記カバー内に形成されている（第３の構成）。これにより、カバー内で光触媒によって浄化された空気を、該カバーの外部により確実に流すことができる。
【００１８】
前記第２または第３の構成において、前記カバーを固定体に固定するための固定金具をさらに備える。前記屈曲路は、前記カバーと前記固定金具との隙間によって構成されている（第４の構成）。
【００１９】
このように、カバーを固定体に固定するための固定金具と該カバーとの隙間によって屈曲路を形成することにより、紫外線の通過を阻害するような屈曲路を容易に形成することができる。
【００２０】
前記第１から第４の構成のうちいずれか一つの構成において、前記カバー内に配置され、該カバー内の空気を該カバーの外に送り出すための送風装置をさらに備える（第５の構成）。
【００２１】
カバー内に送風装置を設けることにより、該カバー内で光触媒によって浄化された空気を容易にカバー外へ流すことができる。これにより、照明装置の周辺に、浄化された空気を容易に供給することができる。
【００２２】
前記第１から第５の構成のうちいずれか一つの構成において、前記光触媒は、前記紫外線光源に対し、照明光の主出射方向以外に配置されている（第６の構成）。これにより、照明光を阻害することなく、紫外線光源に対して光触媒を配置することができる。したがって、照明機能を阻害することなく、空気清浄機能を有する照明装置を実現できる。
【００２３】
前記第１から第６の構成のうちいずれか一つの構成において、前記紫外線光源は、前記光触媒に向かって紫外線を出射する空気清浄用光源と、前記蛍光体に向かって紫外線を出射する照明用光源とを有する（第７の構成）。
【００２４】
このように、紫外線光源が空気清浄用光源と照明用光源とを有することにより、空気清浄機能及び照明機能をそれぞれより確実に実現することができる。
【００２５】
前記第１から第７の構成のうちいずれか一つの構成において、前記カバーの取り外しを検出する取り外し検出部と、前記取り外し検出部によって前記カバーの取り外しが検出された際に、前記紫外線光源からの紫外線の出射を停止する停止制御部とを有する（第８の構成）。
【００２６】
これにより、カバーを外した際に、紫外線光源から出射される紫外線が照明装置外に出るのを防止できる。
【発明の効果】
【００２７】
本発明の一実施形態に係る照明装置によれば、紫外線光源と、光触媒と、該紫外線光源及び光触媒を覆うカバーと、該カバーの内面に設けられた蛍光体とを備える。これにより、照明機能を阻害することなく、より高い空気清浄機能を有する構成を実現することができる。
【図面の簡単な説明】
【００２８】
【図１】図１は、実施形態に係る照明装置の概略構成を示す断面図である。
【図２】図２は、照明装置のカバーを外す際の様子を示す図である。
【図３】図３は、カバーを外した状態の照明装置を斜め下方から見た場合の概略構成を示す斜視図である。
【発明を実施するための形態】
【００２９】
以下、図面を参照し、本発明の実施の形態を詳しく説明する。図中の同一または相当部分については同一の符号を付してその説明は繰り返さない。
【００３０】
図１は、本発明の一実施形態に係る照明装置１の概略構成を示す断面図である。この照明装置１は、例えば平面視で円形状に形成されている。照明装置１は、例えば天井２（固定体）に設置されて、室内等の上方から照明光を出射するとともに、空気清浄を行う。
【００３１】
照明装置１は、照明装置本体１０と、紫外線光源２０と、光触媒３０と、カバー４０と、ファン５０（送風装置）とを備える。なお、照明装置１では、紫外線光源２０、光触媒３０、及びファン５０によって、空気清浄機能が実現され、紫外線光源２０、及びカバー４０の内面に設けられた蛍光体４１によって、照明機能が実現される。
【００３２】
以下の説明では、照明装置１において照明光の光量が最も大きい方向（本実施形態の場合には、図１において下方）を照明光の主出射方向と呼ぶ。
【００３３】
照明装置本体１０は、空気清浄機能及び照明機能を制御するための制御装置（図示省略）を有するとともに、照明装置１の各部材を保持するためのフレーム１１（固定金具）を有する。すなわち、フレーム１１には、前記制御装置と、紫外線光源２０と、光触媒３０と、カバー４０とが保持される。フレーム１１は、平面視でドーナツ状に形成された平板部１１ａと、該平板部１１ａの外周側に形成された壁部１１ｂとを有する。
【００３４】
平板部１１ａは、天井２に固定されるとともに、前記制御装置、紫外線光源２０及び光触媒３０を保持するように構成されている。なお、平板部１１ａの上面には、照明装置１を天井２に取り付けた状態で該天井２との間に位置付けられる緩衝部材１７が設けられている。
【００３５】
壁部１１ｂは、平板部１１ａの外周側に該平板部１１ａの厚み方向（照明光の主出射方向）に延びるように円筒状に形成されている。また、壁部１１ｂは、カバー４０を保持可能なように、筒軸方向の中央部分の径が他の部分に比べて小さい。すなわち、壁部１１ｂは、カバー４０が係合可能な係合部１１ｃを有する。
【００３６】
壁部１１ｂには、カバー４０の取り外しを検出するための取り外し検出部１５が設けられている。この取り外し検出部１５は、例えば、カバー４０の外周側の接触を検出するセンサや、カバー４０の外周側が壁部１１ｂ上に位置付けられていることを検出するセンサなどによって構成されている。
【００３７】
なお、フレーム１１の構成は、一般的な天井設置用の照明装置のフレームと同様の構成であるため、詳しい説明を省略する。
【００３８】
照明装置本体１０からカバー４０を取り外す際の様子を図２に示す。
【００３９】
図２に示すように、照明装置１は、取り外し検出部１５から出力された信号に基づいて後述する紫外線光源２０の駆動を停止する停止制御部１６を有する。停止制御部１６は、取り外し検出部１５によってカバー４０が照明装置本体１０から取り外されたことを検出した際に、紫外線光源２０に対して駆動停止信号を出力する。停止制御部１６は、上述の制御装置に含まれていてもよいし、該制御装置とは別に設けられていてもよい。
【００４０】
このように、カバー４０が照明装置本体１０から取り外された際に、停止制御部１６によって紫外線光源２０からの紫外線の出射を停止することにより、該紫外線が照明装置１から漏れ出るのを防止できる。
【００４１】
図３に示すように、紫外線光源２０は、平面視でリング状に形成されていて、紫外線を出射可能に構成されている。図３は、カバー４０を外した状態で照明装置１を斜め下方から見た斜視図である。この図３において、紫外線光源２０及び光触媒３０の構成は簡略化して図示している。
【００４２】
図１に示すように、紫外線光源２０は、平面視でリング状の支持部２１と、空気清浄用光源２２と、照明用光源２３とを備える。支持部２１は、断面が略矩形の筒状に形成されていて、内部に空気清浄用光源２２及び照明用光源２３に接続される配線等が収納されている。
【００４３】
空気清浄用光源２２及び照明用光源２３は、紫外線を出射可能な光源、例えばＬＥＤ等によって構成される。照明用光源２３は、支持部２１における照明光の主出射方向の面に設けられている。また、空気清浄用光源２２は、支持部２１における前記主出射方向と直交する方向の両面にそれぞれ設けられている。
【００４４】
空気清浄用光源２２及び照明用光源２３は、平面視でリング状の支持部２１に、それぞれ、周方向に並んで複数設けられている。これにより、紫外線光源２０は、平面視でリング状の光源を構成する。
【００４５】
上述の構成により、照明用光源２３から、照明光の主出射方向（図１の白抜き矢印方向）に紫外線が出射される。また、空気清浄用光源２２から、照明光の主出射方向と直交する方向（図１の黒矢印方向）に紫外線が出射される。
【００４６】
光触媒３０は、網部材に二酸化チタンを担持させることにより構成される。光触媒３０は、図３に示すように、網部材が丸められることにより円筒状に形成されていて、紫外線光源２０に対して、前記主出射方向と直交する方向に位置付けられるように配置される。具体的には、図１及び図３に示すように、光触媒３０は、平面視でリング状の紫外線光源２０の内周に配置される小径の内周側光触媒３１と、紫外線光源２０の外周を覆うように配置される大径の外周側光触媒３２とを有する。内周側光触媒３１は、後述するカバー４０の形状に合わせて、外周側光触媒３２に比べて筒軸方向に長い。
【００４７】
上述のように光触媒３０を配置することにより、該光触媒３０は空気清浄用光源２２から紫外線が出射される方向（図１の黒矢印方向）に位置する。これにより、光触媒３０は、空気清浄用光源２２から出射された紫外線によって、空気の浄化を行う。すなわち、光触媒３０に紫外線を照射することにより、空気中の有害物質を減らすことができるとともに脱臭を行うことができる。
【００４８】
このように、空気清浄用光源２２の紫外線の出射方向に、光触媒３０を配置することにより、該光触媒３０による高い空気清浄効果が得られる。しかも、上述のように空気清浄用光源２２として紫外線を出射する光源を用いることにより、光触媒３０によるより高い空気清浄効果を得ることができる。
【００４９】
図１に示すように、カバー４０は、樹脂材料によって構成されていて、照明装置本体１０、紫外線光源２０及び光触媒３０及びファン５０を覆うようなドーム形状を有する。すなわち、カバー４０は、平面視で中央部分が外寸及び内寸ともに最も高くなるように形成されている。カバー４０の外周側は、照明装置本体１０の壁部１１ｂに設けられた係合部１１ｃに係合可能に構成されている。
【００５０】
なお、カバー４０は、通気性を有しつつ紫外線を通過させない構成を有する。
【００５１】
カバー４０の内部には、空気の流路Ｒが形成されている。カバー４０内の流路Ｒを図１に破線で示す。この流路Ｒは、カバー４０内の空気を該カバー４０の外部に向かって流す。このような流路Ｒをカバー４０内に設けることにより、光触媒３０によって浄化された空気が、照明装置１の外部に流れ出る。
【００５２】
なお、カバー４０の外周側と照明装置本体１０におけるフレーム１１の壁部１１ｂとの間には、図１に示すように断面視でＳ字状に屈曲した隙間Ｇが形成される。隙間Ｇは、カバー４０内で紫外線光源２０から出射された紫外線が該カバー４０の外に出ないように屈曲している。この隙間Ｇが、流路ＲのＳ字状の屈曲路Ｓを構成する。
【００５３】
このように、カバー４０内の流路Ｒに屈曲路Ｓを設けることにより、カバー４０内で紫外線光源２０から出射された紫外線が該カバー４０の外に漏れ出るのを防止できる。
【００５４】
本実施形態では、屈曲路Ｓは、カバー４０の外周側とフレーム１１の壁部１１ｂとの隙間によって形成されている。しかしながら、カバー４０またはフレーム１１に屈曲路を設けてもよいし、他の部材によって屈曲路を構成してもよい。
【００５５】
カバー４０の内面には、蛍光体４１が設けられている。この蛍光体４１は、例えば、黄色蛍光体や、黄色蛍光体及び赤色蛍光体の組み合わせ、緑色蛍光体及び赤色蛍光体の組み合わせなどによって構成される。蛍光体４１の材料として、ＹＡＧ（イットリウム・アルミニウム・ガーネット）系、ＴＡＧ（テルビウム・アルミニウム・ガーネット）系、サイアロン系、ＢＯＳ（バリウム・オルソシリケート）系などが用いられる。蛍光体４１は、例えばカバー４０の内面に配置されるシート状であってもよいし、カバー４０の内面に塗布によって形成されていてもよい。
【００５６】
カバー４０の内面に蛍光体４１を設けることにより、紫外線光源２０から出射された紫外線を例えば白色光に変えることができる。これにより、カバー４０の外表面から白色光などが出射される。
【００５７】
従来のＬＥＤ素子を用いた照明装置では、該ＬＥＤ素子が点発光のため、照明装置を直視した場合に眩しかったり、複数の影が生じて目が疲れやすくなったりする。そのため、前記照明装置では、照明光の出射方向にレンズを配置したり、カバーを特殊な乱反射用の樹脂によって構成したりする必要があり、コスト増加の要因になっている。
【００５８】
これに対し、上述の構成のようにカバー４０の内面に蛍光体４１を設けることにより、該蛍光体４１が可視光の発光源になるため、上述の構成を有する照明装置１ではカバー４０全体で面発光が生じる。これにより、低コストで目に優しい照明装置１を実現することができる。
【００５９】
ファン５０は、カバー４０内の空気を該カバー４０の外に送り出すように、該カバー４０内に配置されている。具体的には、ファン５０は、照明装置本体１０のフレーム１１における平面視で中央部分に、カバー４０側に向かって空気を流すように固定されている。これにより、カバー４０内に、該カバー４０の内面に沿って外周側に向かう空気の流れを形成することができる。したがって、カバー４０内の空気を、該カバー４０の外に強制的に排出することができる。
【００６０】
以上の構成により、空気清浄機能を有する照明装置１を、簡単な構成によって実現することができる。すなわち、光源として紫外線光源２０を用いることにより、該紫外線光源２０から出射された紫外線を光触媒３０に照射して空気清浄を行うとともに、紫外線光源２０から出射された紫外線を蛍光体４１によって白色光に変えることができる。これにより、紫外線光源２０によって、空気清浄機能及び照明機能が得られるため、簡単な構成によって空気清浄機能を有する照明装置１を実現できる。
【００６１】
特に、本実施形態のように、紫外線光源２０を従来の一般的な照明装置の光源と同様、平面視でリング状に形成することにより、従来の一般的な照明装置から構成を大きく変更することなく、空気清浄機能を有する照明装置１を実現することができる。
【００６２】
また、紫外線光源２０は、空気清浄用光源２２及び照明用光源２３を有するため、照明装置１において、空気清浄機能及び照明機能をそれぞれより確実に且つ効率良く得ることができる。
【００６３】
そして、カバー４０内に流路Ｒを形成することにより、光触媒３０によって浄化された空気を、流路Ｒを介してカバー４０の外に流すことができる。これにより、照明装置１の周辺に浄化した空気を供給することができる。しかも、流路Ｒは、カバー４０と照明装置本体１０のフレーム１１との隙間Ｇによって形成される屈曲路Ｓを有するため、紫外線光源２０から出射された紫外線が流路Ｒから照明装置１の外に出るのを防止できる。このようにカバー４０とフレーム１１との隙間Ｇによって屈曲路Ｓを構成することにより、該屈曲路Ｓを別に設けることなく容易に形成することができる。
【００６４】
さらに、カバー４０内にファン５０を設けることにより、光触媒３０によって浄化された空気を、流路Ｒを介してカバー４０の外に強制的に流すことができる。これにより、照明装置１の周辺に、浄化した空気をより確実に供給することができる。
【００６５】
光触媒３０は、紫外線光源２０に対し、照明光の出射方向と直交する方向に配置されている。これにより、光触媒３０が照明光を遮るのを防止することができ、照明装置１の照明機能が光触媒３０によって阻害されるのを防止できる。しかも、光触媒３０は、紫外線光源２０の支持部２１において前記出射方向と交差する方向の面に設けられた空気清浄用光源２２の紫外線の出射方向に配置されるため、光触媒３０に紫外線を効率良く照射することができる。したがって、光触媒３０によって空気を効率良く浄化することができる。
【００６６】
また、カバー４０が取り外されたことを取り外し検出部１５によって検出し、その検出結果に基づいて停止制御部１６によって紫外線光源２０の駆動を停止することにより、カバー４０が取り外された状態で紫外線光源２０から紫外線が出射されるのを防止できる。これにより、紫外線光源２０から出射された紫外線が照明装置１の外に漏れ出るのを防止できる。
【００６７】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００６８】
前記実施形態では、カバー４０内で光触媒３０によって浄化された空気をカバー４０の外に流すために、カバー４０内にファン５０が設けられている。しかしながら、ファン５０を設けずに、自然対流によってカバー４０内の空気をカバー４０の外に流してもよい。また、オゾン発生器などをカバー４０内に設けて、該カバー４０内にイオン風を生じさせてもよい。
【００６９】
前記実施形態では、カバー４０の形状は、平面視で円形のドーム形状である。しかしながら、カバー４０の形状は他の形状であってもよい。また、紫外線光源２０の形状も平面視でドーナツ状以外の形状であってもよい。
【００７０】
前記実施形態では、カバー４０の内部に流路Ｒが形成されている。しかしながら、照明装置本体１０内に流路を設けてもよいし、カバー４０に流路を設けてもよい。この場合でも、流路Ｒは屈曲路Ｓを有する。
【００７１】
前記実施形態では、照明装置１は、天井２に取り付けられる。しかしながら、照明装置１の構成は、壁に取り付けられる照明装置や、床に置かれる照明装置など、どのような照明装置に適用してもよい。
【００７２】
前記実施形態では、光触媒３０は、紫外線光源２０の内周及び外周に設けられている。しかしながら、紫外線光源２０の内周または外周に光触媒３０を設けてもよい。また、前記実施形態では、光触媒３０の内周側光触媒３１及び外周側光触媒３２は、それぞれ、円筒状に形成されている。しかしながら、光触媒３０は、平板状など、どのような形状に形成されていてもよい。なお、光触媒３０は、紫外線が通過する位置で且つ照明光の主出射方向以外に配置することが好ましい。例えば、紫外線光源２０における照明光の主出射方向とは反対側に、光触媒３０を配置してもよい。本実施形態では、光触媒３０は網部材に二酸化チタンを担持させることにより構成されるため、照明光は減光するが、光触媒３０を紫外線光源２０の主出射方向に配置してもよい。
【産業上の利用可能性】
【００７３】
本発明は、空気清浄機能を有する照明装置に利用可能である。
【符号の説明】
【００７４】
１  照明装置
２  天井
１０  照明装置本体
１１  フレーム（固定具）
１１ａ  平板部
１１ｂ  壁部
１１ｃ  係合部
１５  取り外し検出部
１６  停止制御部
２０  紫外線光源
２１  支持部
２２  空気清浄用光源
２３  照明用光源
３０  光触媒
３１  内周側光触媒
３２  外周側光触媒
４０  カバー
４１  蛍光体
５０  ファン（送風装置）
Ｒ  流路
Ｓ  屈曲路
Ｇ  隙間
【図１】
2017098085.tif 000003
【図２】
2017098085.tif 000004
【図３】
2017098085.tif 000005